(57)【要約】【課題】複数の電源から受電可能な受電装置の電源切換えに伴う動作の安定性を向上すること。【解決手段】第１の電源と、前記第１の電源より電圧の高い第２の電源と、の少なくとも一方から電力供給を受ける受電装置であって、第１の負荷部と、前記第１の負荷部から電気的に分離された第２の負荷部と、前記第１の電源が前記受電装置に接続され、前記第２の電源が前記受電装置に接続されていない場合は、前記第１の電源から前記第１の負荷部と前記第２の負荷部に電力を供給し、前記第１の電源と第２の電源が前記受電装置に接続されている場合は、前記第２の電源から前記第１の負荷部へ電力を供給し、前記第１の電源から前記第２の負荷部へ電力を供給する切換手段と、を備える。【選択図】  図２
2020043644.tif 000002
【特許請求の範囲】
【請求項１】
第１の電源と、前記第１の電源より電圧の高い第２の電源と、の少なくとも一方から電力供給を受ける受電装置であって、
第１の負荷部と、
前記第１の負荷部から電気的に分離された第２の負荷部と、
前記第１の電源が前記受電装置に接続され、前記第２の電源が前記受電装置に接続されていない場合は、前記第１の電源から前記第１の負荷部と前記第２の負荷部に電力を供給し、
前記第１の電源と第２の電源が前記受電装置に接続されている場合は、前記第２の電源から前記第１の負荷部へ電力を供給し、前記第１の電源から前記第２の負荷部へ電力を供給する切換手段と、
を備えることを特徴とする受電装置。
【請求項２】
前記第１の電源が前記受電装置に接続されず、前記第２の電源が前記受電装置に接続されている場合、前記切換手段は、前記第２の電源から前記第１の負荷部と前記第２の負荷部に電力を供給する請求項１に記載の受電装置。
【請求項３】
前記第２の電源は、ＩＥＥＥ８０２．３ａｔに準拠したＰｏｗｅｒ  Ｓｏｕｒｃｉｎｇ  Ｅｑｕｉｐｍｅｎｔ（ＰＳＥ）である請求項１または２に記載の受電装置。
【請求項４】
前記切換手段は、前記第２の電源の電圧を、前記第１の電源の電圧よりも高い電圧に変換する第１の電圧変換手段を有する請求項１〜３のいずれか１項に記載の受電装置。
【請求項５】
前記切換手段は、前記第１の電圧変換手段の出力電圧または前記第１の電源の電圧を、前記第１の電源の電圧よりも低い電圧に変換する第２の電圧変換手段を有する請求項４に記載の受電装置。
【請求項６】
前記切換手段は、
前記第１の電圧変換手段および前記第１の電源に接続され、前記第１の電圧変換手段の出力電圧または前記第１の電源の電圧を、前記第１の負荷部が必要とする電圧以上の電圧に変換する第３の電圧変換手段と、
前記第１の電圧変換手段および前記第１の電源に接続され、前記第１の電圧変換手段の出力電圧または前記第１の電源の電圧を、前記第２の負荷部が必要とする電圧以上の電圧に変換する第４の電圧変換手段と、をさらに有し、
前記第１の負荷部は、前記第３の電圧変換手段によって電力を供給され、
前記第２の負荷部は、前記第４の電圧変換手段によって電力を供給される請求項５に記載の受電装置。
【請求項７】
前記切換手段は、前記第３の電圧変換手段の入力部と前記第４の電圧変換手段の入力部に接続されたスイッチ手段をさらに有し、
前記スイッチ手段は、前記第１の電源が接続されている場合は開放状態となり、前記第１の電源が接続されていない場合は短絡状態となる請求項６に記載の受電装置。
【請求項８】
前記第１の負荷部を駆動するために必要な最大電力は、１２．９５Ｗ以下である請求項１〜７のいずれか１項に記載の受電装置。
【請求項９】
前記第１の負荷部を駆動するために必要な最大電力は、前記第２の負荷部を駆動するために必要な最大電力よりも小さい請求項１〜８のいずれか１項に記載の受電装置。
【請求項１０】
前記受電装置はカメラであり、前記第１の負荷部は前記カメラのイメージセンサおよびレンズモータを含み、前記第２の負荷部は前記カメラの画像処理集積回路を含む請求項１〜９のいずれか１項に記載の受電装置。
【請求項１１】
第１の電源と、前記第１の電源より電圧の高い第２の電源と、の少なくとも一方から電力供給を受ける受電装置の電力供給の切換方法であって、前記受電装置は、第１の負荷部と第２の負荷部と切換手段を有し、
前記切換方法は、
前記第１の電源が前記受電装置に接続され、前記第２の電源が前記受電装置に接続されていない場合は、前記切換手段により、前記第１の電源から前記第１の負荷部と前記第２の負荷部に電力を供給するステップと、
前記第１の電源と第２の電源が前記受電装置に接続されている場合は、前記切換手段により、前記第２の電源から前記第１の負荷部へ電力を供給し、前記第１の電源から前記第２の負荷部へ電力を供給するステップと、
を有することを特徴とする切換方法。
【発明の詳細な説明】
【技術分野】
【０００１】
本発明は、複数の電源から電力供給を受けることができる受電装置およびその電力供給の切換方法に関する。
【背景技術】
【０００２】
近年、イーサネット（登録商標）ケーブルを用いて信号の送受信や電力供給を行う技術が知られている。これは国際規格として定義されているＩＥＥＥ８０２．３ａｔ規格に準拠したものでありＰｏｗｅｒ  Ｏｖｅｒ  Ｅｔｈｅｒｎｅｔ（登録商標）（ＰｏＥ）と称される。ＰｏＥでは、給電装置であるＰｏｗｅｒ  Ｓｏｕｒｃｉｎｇ  Ｅｑｕｉｐｍｅｎｔ（ＰＳＥ）から受電装置であるＰｏｗｅｒｅｄ  Ｄｅｖｉｃｅ（ＰＤ）に電力が供給される。
【０００３】
また従来、電圧が異なる複数の電源から受電することができる受電装置が知られている。例えば、ＩＥＥＥ８０２．３ａｔ規格に準拠したＰｏＥに対応した電源（ＰＳＥ）、及び、ＡＣアダプタ等の汎用の電源から受電することが可能であり、これらの電源のうち一方を選択して受電する受電装置が知られている。そのような受電装置の中でも、第１の電源（例えば、汎用電源）と第２の電源（例えば、ＰＳＥ）が同時に接続された場合には、第２の電源から受電する装置がある（例えば、特許文献１）。このような受電装置では、第１の電源と第２の電源が同時に接続された場合において第２の電源が切断されると、第１の電源で動作する状態に切り換わる。また、第１の電源のみが接続されているような状態から第２の電源を接続すると、第２の電源で動作する状態に切り換わる。
【先行技術文献】
【特許文献】
【０００４】
【特許文献１】特開２０１２−９５５０２号公報
【発明の概要】
【発明が解決しようとする課題】
【０００５】
しかしながら、特許文献１に開示された技術では、汎用電源のみが受電装置に接続され所定値（１２．９５Ｗ）以上の電力が汎用電源から供給されている状態の受電装置にＰＳＥを接続すると、ＰＳＥから受電装置への電力供給が停止するおそれがある。
詳細には、受電装置にＰＳＥを接続した際に受電装置は既に汎用電源により全機能が動作中であるが、電源が汎用電源からＰＳＥに切り換わるために、切り換え直後にＰＳＥから受電装置へ制限値（４００ｍＡ）以上の電流が流れてしまう。この時ＰＳＥでは過電流（制限値を超える電流）を防止する機能が動作するため、ＰＳＥから受電装置への電力供給が停止してしまう場合があった。例えば、受電装置が監視カメラの場合、ＰＳＥから監視カメラへの電力供給が停止してしまうと、監視カメラがリセットし、再起動までの間、監視カメラによる監視が行われなくなる。
本発明は上述した課題を解決するためになされたものであり、複数の電源から受電可能な受電装置の電源切換えに伴う動作の安定性を向上することを目的とする。
【課題を解決するための手段】
【０００６】
上記目的を達成するために、本発明の１つの態様による受電装置は、第１の電源と、前記第１の電源より電圧の高い第２の電源と、の少なくとも一方から電力供給を受ける受電装置であって、第１の負荷部と、前記第１の負荷部から電気的に分離された第２の負荷部と、前記第１の電源が前記受電装置に接続され、前記第２の電源が前記受電装置に接続されていない場合は、前記第１の電源から前記第１の負荷部と前記第２の負荷部に電力を供給し、前記第１の電源と第２の電源が前記受電装置に接続されている場合は、前記第２の電源から前記第１の負荷部へ電力を供給し、前記第１の電源から前記第２の負荷部へ電力を供給する切換手段と、を備える。
【発明の効果】
【０００７】
本発明によれば、複数の電源から受電可能な受電装置において、電源の切り換えに伴う動作の安定性を向上することができる。
【図面の簡単な説明】
【０００８】
【図１】本発明の実施形態にかかる受電装置を含むシステムを示す概略図。
【図２】図１の受電装置の構成を示す図。
【図３】図２の受電装置のスイッチ部の動作を示す図。
【図４】電源の接続状態に応じた状態遷移を示す図。
【図５】汎用電源のみが接続されている状態の電力供給状態を示す図。
【図６】ＰＳＥ電源のみが接続されている状態の電力供給状態を示す図。
【図７】汎用電源およびＰＳＥ電源が接続されている状態の電力供給状態を示す図。
【図８】受電装置とクライアント装置のハードウェア構成を示す図。
【発明を実施するための形態】
【０００９】
以下に、本発明の好ましい実施形態を、添付の図面に基づいて詳細に説明する。なお、以下に説明する実施形態は、本発明の実現手段としての一例であり、本発明が適用される装置やシステムの構成や各種条件によって適宜修正又は変更されるべきものであり、本発明は以下の実施形態に限定されるものではない。
【００１０】
（受電装置を含むシステムの概要）
図１は、本発明の実施形態にかかる受電装置１００と、第１の電源（汎用電源）１０１と、第２の電源（ＰＳＥ）１０２と、ネットワーク２００と、クライアント装置３００とからなるシステム４００の概略を示している。本実施形態の受電装置１００は、監視カメラ（ネットワークカメラ）であり、システム４００は監視カメラシステムである。
受電装置１００はネットワークサーバ機能を内蔵している。また、ネットワークカメラである受電装置１００は、撮影レンズを備え、当該撮影レンズで集光された光を光電変換する光電変換機能を有する。さらに、受電装置１００は、フォーカス機能、ズーム機能およびＩＲカットフィルター切替機能を内蔵している。
第１の電源１０１は、例えば、ＡＣＤＣアダプタなどである。第２の電源１０２は、ＩＥＥＥ８０２．３ａｔ規格に準じた電力供給を行う電源である。
【００１１】
第２の電源１０２は、例えば、ＰｏＥハブであり、受電装置１００に所定の電力供給と映像信号およびズーム等の制御コマンド信号の伝達を、ネットワーク２００を介して行なう。ネットワーク２００は、例えば、ＬＡＮ（Ｌｏｃａｌ  Ａｒｅａ  Ｎｅｔｗｏｒｋ）である。クライアント装置３００は、例えば、監視用のモニター（表示部）を備えたパーソナルコンピュータである。クライアント装置３００は、映像表示および制御コマンド信号を、ネットワーク２００を介して受電装置１００に送信することができる。また、クライアント装置３００は、受電装置１００から撮像画像を受信し、表示部に表示することができる。なお、クライアント装置３００は、ネットワークサーバでもよいし、タブレットコンピュータ、スマートフォン、携帯電話などでもよい。
【００１２】
（受電装置と電源）
図２は、本発明の実施形態による受電装置１００と、第１の電源１０１と、第２の電源１０２とを示す図である。受電装置１００は、第１の電源１０１と第２の電源１０２とに接続可能であり、少なくとも第１の電源１０１と第２の電源１０２の一方から電力供給を受けることができる。
本実施形態では、第２の電源１０２は、複数のイーサネット（登録商標）ケーブルのコネクタを接続できるマルチポートを有し、ＴＣＰ／ＩＰによる通信と、ＰｏＥの規格に対応する電力供給とが可能なスイッチングハブとする。ＴＣＰはＴｒａｎｓｍｉｓｓｉｏｎ  Ｃｏｎｔｒｏｌ  Ｐｒｏｔｏｃｏｌの略であり、ＩＰはＩｎｔｅｒｎｅｔ  Ｐｒｏｔｏｃｏｌの略である。なお、第２の電源１０２が可能とする通信は、ＴＣＰ／ＩＰに限定されない。
【００１３】
（給電タイプの選択）
ここで、第２の電源（ＰＳＥ）１０２が対応可能なＩＥＥＥ８０２．３ａｔ規格について説明する。ＩＥＥＥ８０２．３ａｔ規格では、ＰｏＥにおいて、ＰＳＥからＰＤ（Ｐｏｗｅｒｅｄ  Ｄｅｖｉｃｅ：受電装置）へ供給する最大電力をＰＤが選択することができる。より詳しくは、ＰＤは、給電タイプとして、２つのタイプ（Ｔｙｐｅ１とＴｙｐｅ２）のうちの１つを選択することができる。ＰＤは給電タイプとしてＴｙｐｅ１（Ｔｙｐｅ１規格）を選択すると、ＰＳＥから最大１２．９５Ｗまで受電することができる。またＰＤは給電タイプとしてＴｙｐｅ２（Ｔｙｐｅ２規格）を選択すると、ＰＳＥから最大２５．５Ｗまで受電することができる。Ｔｙｐｅ１とＴｙｐｅ２の選択には、物理層の２段階クラス検出又はデータリンク層のＬＬＤＰ（Ｌｉｎｋ  Ｌａｙｅｒ  Ｄｉｓｃｏｖｅｒｙ  Ｐｒｏｔｏｃｏｌ）を使用する。以下の説明において、物理層の２段階クラス検出およびデータリンク層のＬＬＤＰの使用におけるＴｙｐｅ１とＴｙｐｅ２の選択処理を「ネゴシエーション」と称する。
【００１４】
ＰＳＥは、ＰＤが接続されたら、ＩＥＥＥ８０２．３ａｔ規格に則ったネゴシエーションを実行したのち、ＰＤへの給電を開始する。ＰＤがＴｙｐｅ２を選択した場合、ＰＳＥは、ネゴシエーションを終えるまでの間、過大な電流がＰＤに流れるのを防止するために給電を停止する機能を有する。
ＰＤが物理層の２段階クラス検出を使用して給電タイプを選択する場合、ネゴシエーションが完了する前は、ＰＳＥからＰＤに流れる電流の上限を例えば４００ｍＡにすることが規定されている。ネゴシエーションが完了した後は、ＰＤは最大で２５．５Ｗの電力（電流は最大６８４ｍＡ）を受電可能となる。
【００１５】
同様に、ＰＤがＬＬＤＰを使用し給電タイプとしてＴｙｐｅ２を選択する場合、ＬＬＤＰに基づいたデータ通信が完了する前は、ＰＳＥからＰＤに流れる電流の上限は４００ｍＡにされている。ＬＬＤＰによるネゴシエーションが完了した後は、ＰＤは最大で２５．５Ｗの電力（電流は最大６８４ｍＡ）を受電可能となる。
受電装置１００は上記したネゴシエーションを実行する。電源投入直後は、受電装置１００は、自装置の初期化等を行いながらネゴシエーションを行う。このために、電源投入直後は受電装置１００の全機能を動作させるわけではなく、制限された電流値内でネゴシエーションを行うことが要求されている。
【００１６】
（受電装置の構成）
図２に示されるように、受電装置１００は、第１の電源（以下、「汎用電源」と称す）１０１を含む２次電源系と、第２の電源（以下、「ＰＳＥ電源」と称す）１０２を含む１次電源系とが絶縁するように構成されている。汎用電源１０１およびＰＳＥ電源１０２は、家庭用のコンセント等に挿入されている状態で電力を供給可能な状態となり、コンセントなどの電力源から切断されることで電力を供給できない状態となる。本実施形態では、汎用電源１０１で供給できる電力は２５．５Ｗとし、ＰＳＥ電源１０２で供給できる電力も２５．５Ｗとする。
受電装置１００は、第１の電圧変換部１０３と、第２の電圧変換部１０４と、第３の電圧変換部１０５と、第４の電圧変換部１０６と、第１の負荷部１０７と、第２の負荷部１０８と、スイッチ部１０９と、を有する。また、受電装置１００は、逆流防止用ダイオード１１０、１１１、１１２、１１３も有する。
【００１７】
第１の電圧変換部１０３は、ＰＳＥ電源１０２の出力部に接続されており、ＰＳＥ電源１０２から電力（電圧）を受け取る。第１の電圧変換部１０３は、ＰＳＥ電源１０２の電圧を変換する。変換後の電圧（本実施形態では１５Ｖ）は、第１の電源の電圧（１２Ｖ）より高くなるように設定されている。
第２の電圧変換部１０４は、汎用電源１０１と第１の電圧変換部１０３の出力部に接続されており、汎用電源１０１と第１の電圧変換部１０３から電力（電圧）を受け取ることができる。第２の電圧変換部１０４は、汎用電源１０１または第１の電圧変換部１０３の出力電圧を変換する。変換後の電圧（本実施形態では１０Ｖ）は、第１の電源の電圧（１２Ｖ）より低くなるように設定されている。
第３の電圧変換部１０５は、汎用電源１０１と第１の電圧変換部１０３の出力部に接続されている。第３の電圧変換部１０５は、汎用電源１０１と第１の電圧変換部１０３から電力（電圧）を受け取ることができる。第３の電圧変換部１０５は、汎用電源１０１または第１の電圧変換部１０３の出力電圧を変換する。変換後の電圧（本実施形態では５Ｖ）は、第１の負荷部１０７が必要とする電圧以上であって、且つ、第１の電源の電圧（１２Ｖ）より低くなるように設定されている。
【００１８】
第４の電圧変換部１０６は、汎用電源１０１、第１の電圧変換部１０３および第２の電圧変換部１０４の出力部に接続されている。第４の電圧変換部１０６は、汎用電源１０１、第１の電圧変換部１０３または第２の電圧変換部１０４の出力電圧を変換する。変換後の電圧（本実施形態では１Ｖ）は、第２の負荷部１０８が必要とする電圧以上であって、且つ、１２Ｖより低くなるように設定されている。
第１の負荷部１０７は、イメージセンサ、レンズモータなどからなる。第１の負荷部１０７は、第３の電圧変換部１０５の出力部に接続され、第３の電圧変換部１０５から電力を受ける。
【００１９】
第２の負荷部１０８は、画像処理ＩＣ（画像処理集積回路）などからなる。第２の負荷部１０８は、第４の電圧変換部１０６の出力部に接続され、第４の電圧変換部１０６から電力を受ける。第２の負荷部１０８は第１の負荷部１０７から分離されている。
本実施形態では、第１の負荷部１０７の消費電力は、汎用電源１０１の容量以下にされ、第２の負荷部１０８の消費電力は、ＰＥＳ電源１０２の容量以下にされる。具体的に受電装置１００を構成する部品（コンポーネント）の中で、どの部品が第１の負荷部１０７に属し、どの部品が第２の負荷部１０８に属するかは、受電装置１００の部品毎の容量に応じて適宜決定される。
スイッチ部１０９は、第３の電圧変換部１０５の入力部と第４の電圧変換部１０６の入力部に接続されている。スイッチ部１０９は、スイッチ素子（例えば、ＦＥＴ）を含む。ＦＥＴはＦｉｅｌｄ  Ｅｆｆｅｃｔ  Ｔｒａｎｓｉｓｔｏｒの略である。
【００２０】
本実施形態において、ＰＳＥ電源１０２の出力電圧は４８Ｖであり、汎用電源１０１の出力電圧は１２Ｖであるとする。第１の電圧変換部１０３の出力電圧は１５Ｖであり、第２の電圧変換部１０４の出力電圧は１０Ｖであり、第３の電圧変換部１０５の出力電圧は５Ｖであり、第４の電圧変換部１０６の出力電圧は１Ｖであるとする。第１の負荷部１０７の最大消費電力（第１の負荷部を駆動するために必要な最大電力）は７Ｗであり、第２の負荷部１０８の最大消費電力は１０Ｗであるとする。
【００２１】
（スイッチ部の動作）
スイッチ部１０９の動作について、図３を用いて説明する。
スイッチ部１０９は、汎用電源１０１が受電装置１００に接続されている場合は、ＰＳＥ電源１０２の接続有無によらず、開放状態となる。汎用電源１０１が受電装置１００に接続されると、図２の矢印１１６で示すように、１２Ｖの電圧がスイッチ部１０９に供給され、スイッチ部１０９が開放状態となる。スイッチ部１０９がＦＥＴを有する場合、当該ＦＥＴは１２Ｖの電圧が印加されるとオフになる。
汎用電源１０１が受電装置１００に接続されておらず、ＰＳＥ電源１０２のみが受電装置１００に接続されている場合は、スイッチ部１０９は短絡状態となる。汎用電源１０１もＰＳＥ電源１０２も受電装置１００に接続されていない場合は、スイッチ部１０９は不定状態となる。
【００２２】
（電源接続と負荷部給電の状態遷移）
図４は、図２に示した第１の電源（汎用電源）１０１の接続の有無、第２の電源（ＰＳＥ電源）１０２の接続の有無、スイッチ部１０９の状態、第１の負荷部１０７への給電状態、第２の負荷部１０８への給電状態を示した状態遷移図である。図中の矢印は状態遷移の条件を示している。ＳはＳｔｅｐの略である。
Ｓ２０１は、汎用電源１０１とＰＳＥ電源１０２の両方が受電装置１００に未接続の状態を示している。スイッチ部１０９は不定状態であり、第１の負荷部１０７へは給電されておらず、第２の負荷部１０８へも給電されていない状態である。
【００２３】
Ｓ２０１の状態から受電装置１００に汎用電源１０１が接続された場合には、Ｓ２０２の状態に遷移する。Ｓ２０２の状態に遷移すると、汎用電源１０１が接続状態へと変わり、汎用電源１０１から第１の負荷部１０７へ電力供給（電源供給）が行われると共に、汎用電源１０１から第２の負荷部１０８へ電力供給が行われる。この場合、スイッチ部１１０は開放状態となる。
汎用電源１０１を受電装置１００から切断すると、Ｓ２０２から状態からＳ２０１の状態に遷移する。
【００２４】
Ｓ２０１の状態からＰＳＥ電源１０２が受電装置１００に接続された場合には、Ｓ２０３の状態に遷移する。Ｓ２０３の状態に遷移すると、ＰＳＥ電源１０２が接続状態へと変わり、ＰＳＥ電源１０２から第１の負荷部１０７へ電力供給が行われると共に、ＰＳＥ電源１０２から第２の負荷部１０８へ電力供給が行われる。この場合、スイッチ部１１０は短絡状態となる。
ＰＳＥ電源１０２を受電装置１００から切断すると、Ｓ２０３の状態からＳ２０１の状態に遷移する。
【００２５】
Ｓ２０３の状態から汎用電源１０１が受電装置１００に接続された場合には、Ｓ２０４の状態に遷移する。Ｓ２０４の状態に遷移すると、汎用電源１０１が接続状態へと変わる。Ｓ２０４の状態では、第１の負荷部１０７への電力供給はＰＳＥ電源１０２から行われ、第２の負荷部１０８への電力供給は汎用電源１０１から行われる。この場合、スイッチ部１１０は開放状態となる。
汎用電源１０１を受電装置１００から切断すると、Ｓ２０４からＳ２０３の状態に遷移する。
【００２６】
Ｓ２０２の状態からＰＳＥ電源１０２が受電装置１００に接続された場合には、Ｓ２０４の状態に遷移する。Ｓ２０４の状態に遷移すると、ＰＳＥ電源１０２が接続状態へと変わる。Ｓ２０４の状態では、上記したように、第１の負荷部１０７への電力供給はＰＳＥ電源１０２から行われ、第２の負荷部１０８への電力供給は汎用電源１０１から行われる。スイッチ部１１０は開放状態となる。
Ｓ２０２の状態からＳ２０４の状態に遷移した場合、ＰＳＥ電源１０２が接続状態へと変わった直後は（ネゴシエーション完了まで）、ＰＳＥ電源１０２は、４００ｍＡ（１２．９５Ｗ）の制限値以内で動作する必要がある。これは、４００ｍＡを超える電流が流れると、ＰＳＥ電源１０２の過電流防止機能により、ＰＳＥ電源１０２から受電装置１００への電力供給が停止してしまうからである。
【００２７】
本実施形態においては、汎用電源１０１にかかる負荷（第２の負荷部：消費電力１０Ｗ）と、ＰＳＥ電源１０２にかかる負荷（第１の負荷部：消費電力７Ｗ）とを電気的に分離した構成としている。よって、受電装置１００全体の負荷が１７Ｗ（１２．９５Ｗ以上）であっても、ＰＳＥ電源１０２にかかる負荷は、第１の負荷部１０７にかかる負荷７Ｗのみである（１２．９５Ｗ以下）。７Ｗ＜１２．９５Ｗなので、ＰＳＥ電源１０２が接続状態へと変わった直後に、ＰＳＥ電源１０２から第１の負荷部１０７に流れる電流は４００ｍＡ（１２．９５Ｗ）の制限値を超えることはない。このように、本実施形態では、ＰＳＥ電源１０２が接続状態へと変わった直後に、ＰＳＥ電源１０２から受電装置１００への電力供給が停止してしまうことはない。つまり、電源切換え直後において、受電装置１００の第１の負荷部１０７に過電流が流れることを抑制（防止）し、給電停止を抑制（防止）することができる。
ＰＳＥ電源１０２を受電装置１００から切断すると、Ｓ２０４の状態からＳ２０２の状態に遷移する。
【００２８】
（Ｓ２０２の電力供給状態）
図５は、Ｓ２０２の状態（汎用電源１０１のみが接続されている状態）における第１の負荷部１０７および第２の負荷部１０８への電力供給状態を示している。
汎用電源１０１の電圧（１２Ｖ）は、逆流防止ダイオード１１０を通って第４の電圧変換部１０６へ入力される（矢印５１）。そして、当該電圧（１２Ｖ）は第４の電圧変換部１０６で１Ｖに変換され、第４の電圧変換部１０６から第２の負荷部１０８へ供給される。
【００２９】
また、汎用電源１０１の電圧（１２Ｖ）は、矢印５２および矢印５３で示されるように、逆流防止ダイオード１１２を通って第２の電圧変換部１０４と第３の電圧変換部１０５へ入力される。本実施形態では、第２の電圧変換部１０４の出力電圧（１０Ｖ）は、逆流防止ダイオード１１１によって、第４の電圧変換部１０６へは入力されない。汎用電源１０１の電圧（１２Ｖ）は、第３の電圧変換部１０６で５Ｖに変換され、第３の電圧変換部１０５から第１の負荷部１０７へ供給される。
【００３０】
（Ｓ２０３の電力供給状態）
図６は、Ｓ２０３の状態（ＰＳＥ電源１０２のみが接続されている状態）における第１の負荷部１０７および第２の負荷部１０８への電力供給状態を示している。
ＰＳＥ電源１０２の電圧（４８Ｖ）は、第１の電圧変換部１０３へ入力される。当該電圧（４８Ｖ）は、第１の電圧変換部１０３で１５Ｖに変換される。第１の電圧変換部１０３の出力電圧（１５Ｖ）は、逆流防止ダイオード１１３を通って、矢印６１および矢印６２で示されるように、第２の電圧変換部１０４と第３の電圧変換部１０５へ入力される。本実施形態では、第２の電圧変換部１０４の出力電圧は、逆流防止ダイオード１１１によって、第４の電圧変換部１０６へは入力されない。第１の電圧変換部１０３から第３の電圧変換部１０５へ入力された電圧（１５Ｖ）は、第３の電圧変換部１０５で５Ｖに変換される。そして、第３の電圧変換部１０５の出力電圧が、第１の負荷部１０７へ供給される。また、スイッチ部１０９は短絡状態であるため、第１の電圧変換部１０３の出力電圧（１５Ｖ）は、矢印６３で示すように、スイッチ部１０９を通って第４の電圧変換部１０６へ入力される。この電圧は、第４の電圧変換部１０６で１Ｖに変換され、第４の電圧変換部１０６から第２の負荷部１０８へ供給される。
【００３１】
（Ｓ２０４の電力供給状態）
図７は、Ｓ２０４の状態（汎用電源１０１およびＰＳＥ電源１０２が接続されている状態）における第１の負荷部１０７および第２の負荷部１０８への電力供給状態を示している。
汎用電源１０１の電圧（１２Ｖ）は、逆流防止ダイオード１１０を通って、矢印７１で示されるように、第４の電圧変換部１０６へ入力される。当該電圧は、第４の電圧変換部１０６により１Ｖに変換され、第４の電圧変換部１０６から第２の負荷部１０８へ供給される。
【００３２】
ＰＳＥ電源１０２の電圧（４８Ｖ）は、第１の電圧変換部１０３へ入力される。当該電圧は、第１の電圧変換部１０３により１５Ｖに変換される。第１の電圧変換部１０３の出力電圧（１５Ｖ）は、逆流防止ダイオード１１３を通って第２の電圧変換部１０４と第３の電圧変換部１０５へ入力される（矢印７２および矢印７３）。本実施形態では、第２の電圧変換部１０４の出力電圧は、逆流防止ダイオード１１１によって、第４の電圧変換部１０６へは入力されない。第１の電圧変換部１０３から第３の電圧変換部１０５へ入力された電圧（１５Ｖ）は、第３の電圧変換部１０５で５Ｖに変換され、第３の電圧変換部１０５から第１の負荷部１０７へ供給される。
【００３３】
受電装置１００の第１および第２の負荷部１０７、１０８以外の構成要素は、Ｓ２０１〜Ｓ２０４で、どのように電力を第１および第２の負荷部へ供給するかを切り換えている（電力供給路の切り換えをしている）ので、これらをまとめて切換部と称してもよい。
【００３４】
（受電装置のハードウェア構成）
図８（ａ）は受電装置１００のハードウェア構成の一例を示すブロック図である。
受電装置１００は、電源部１５０と、ＣＰＵ１５１と、ＲＯＭ１５２と、ＲＡＭ１５３と、ネットワークインタフェース１５４と、撮像デバイス１５５と、入力部１５６と、外部メモリ１５７とを有する。
電源部１５０は、汎用電源１０１とＰＳＥ電源１０２に接続されている。電源部１５０は、図２の受電装置１００の第１の負荷部１０７と第２の負荷部１０８を除いた部分（１０３〜１０６、１０９〜１１３）である。
【００３５】
ＣＰＵ１５１は、受電装置１００を統括制御する制御装置である。ＣＰＵ１５１は、各構成部（１５２〜１５７）を制御する。
ＲＯＭ１５２は、ＣＰＵ１５１が処理を実行するために必要なプログラム等を記憶する。ＣＰＵ１５１が、ＲＯＭ１５２に記憶されたプログラムに基づき処理を実行することにより、撮像デバイス１５５の制御等が実現される。なお、当該プログラム等は、外部メモリ１５７や着脱可能な記憶媒体（図示せず）に記憶されてもよい。
ＲＡＭ１５３は、ＣＰＵ１５１がＲＯＭ１５２から読み出したプログラムを展開し、処理を実行するためのメモリである。また、ＲＡＭ１５３は、一時記憶メモリとして各種処理の対象となるデータを一時記憶するための記憶領域としても使用される。
【００３６】
ネットワークインタフェース１５４は、クライアント装置３００（図１）等と通信を行う回路である。例えば、ネットワークインタフェース１５４は、クライアント装置３００へ撮影画像や告知情報を送信する際に使用される。ネットワークインタフェース１５４は、例えば、無線ＬＡＮインタフェースである。
撮像デバイス１５５は、被写体を動画及び静止画として撮影する画像センサを有するデバイスである。撮像デバイス１５５は、画角や撮影方向等の撮影条件を調整することができる。撮像デバイス１５５は、画像処理ＩＣを含む。また、撮像デバイス１５５は、レンズモータ、パン、チルト及びズーム機構を有し、ＣＰＵ１５１の制御によって、パン、チルト及びズーム（望遠制御／広角制御）動作を実行する。撮像デバイス１５５は、レンズ等の光学系の部材や、ＣＭＯＳイメージセンサやＣＣＤイメージセンサを有しており、被写体を撮影して、映像を取得する。ＣＭＯＳはＣｏｍｐｌｅｍｅｎｔａｒｙ  Ｍｅｔａｌ  Ｏｘｉｄｅ  Ｓｅｍｉｃｏｎｄｕｃｔｏｒの略であり、ＣＣＤはＣｈａｒｇｅ  Ｃｏｕｐｌｅｄ  Ｄｅｖｉｃｅの略である。
【００３７】
入力部１５６は、電源ボタンやテンキーなどから構成される。システム４００のユーザは、入力部１５６を介して受電装置１００に指示を与えることができる。
外部メモリ１５７は、例えば、ＣＰＵ１５１がプログラムを用いた処理を実行する際に必要な各種データや情報などを記憶する。また、外部メモリ１５７には、ＣＰＵ１５１がプログラムを用いた処理を実行することにより得られた各種データや情報などが記憶される。
受電装置１００の各部（１５０〜１５７）はバス１５８により相互に接続されている。なお、受電装置１００は、音声や画像を出力をする出力部を備えてもよい。
図８(ａ)の受電装置１００の構成部の中で、どれが第１の負荷部１０７に属し、どれが第２の負荷部１０８に属するようにするかは、各部の消費電力等を考慮して決められる。なお、電源部１５０から第１の負荷部１０７および第２の負荷部１０８へ電力を供給するので、バス１５８は複数の電力供給ラインからなる。
【００３８】
図８（ｂ）は、クライアント装置３００のハードウェア構成の一例を示すブロック図である。
クライアント装置３００は、ＣＰＵ３０１と、ＲＯＭ３０２と、ＲＡＭ３０３と、ネットワークインタフェース３０４と、出力部３０５と、入力部３０６と、外部メモリ３０７と、を有する。
ＣＰＵ３０１は、クライアント装置３００を統括制御する制御部である。ＣＰＵ３０１は、各構成部（３０２〜３０７）を制御する。
【００３９】
ＲＯＭ３０２は、ＣＰＵ３０１が処理を実行するために必要なプログラム等を記憶する。ＣＰＵ３０１が、ＲＯＭ３０２に記憶されたプログラムに基づき処理を実行することにより、クライアント装置３００の出力部３０５の制御等が実現されてもよい。なお、当該プログラム等は、外部メモリ３０７や着脱可能な記憶媒体（図示せず）に記憶されてもよい。
ＲＡＭ３０３は、ＣＰＵ３０１がＲＯＭ３０２から読み出したプログラムを展開し、処理を実行するためのメモリである。また、ＲＡＭ３０３は、一時記憶メモリとして各種処理の対象となるデータを一時記憶するための記憶領域としても使用される。
ネットワークインタフェース３０４は、ネットワーク２００を介して受電装置１００と通信を行う回路である。例えば、ネットワークインタフェース３０４は、受電装置１００へ撮影画像指示などを送信する際に使用される。ネットワークインタフェース３０４は、例えば、無線ＬＡＮインタフェースである。
【００４０】
出力部３０５は、画像表示部や音声出力部を含む。出力部３０５は、動画及び静止画を表示したり、音声（アラームを含む）を出力することができる。また、画像表示部は、タッチパネルとして使用することにより、ユーザインターフェース（入力部３０６）として機能することもある。    入力部３０６は、キーボード、スイッチ、電源ボタンやテンキーなどから構成される。ユーザは、入力部３０６を介してクライアント装置３００や受電装置１００に指示を与えることができる。
外部メモリ３０７は、例えば、ＣＰＵ３０１がプログラムを用いた処理を実行する際に必要な各種データや情報などを記憶する。また、外部メモリ３０７には、ＣＰＵ３０１がプログラムを用いた処理を実行することにより得られた各種データや情報などが記憶される。
クライアント装置３００の各部（３０１〜３０７）はバス３０８により相互に接続されている。
【００４１】
（実施形態の効果）
本実施形態では、汎用電源１０１から電力供給されている状態のときに（Ｓ２０２）ＰＳＥ電源１０２を受電装置１００に接続すると（Ｓ２０４）、汎用電源１０１とＰＳＥ電源１０２のそれぞれが受電装置１００に電力供給をする。より詳しくは、汎用電源１０１からは第２の負荷部１０８へ電力供給がなされ、ＰＳＥ電源１０２からは第１の負荷部１０７へ電力供給がなされる。従って、汎用電源１０１が電力供給をしているときにＰＳＥ電源１０２を接続しても、ＰＳＥ電源１０２から受電装置１００へ過電流が流れることはない。よって、受電装置１００の給電停止状態は発生しない。もしＰＳＥ電源１０２から受電装置１００への電力供給が停止すると、受電装置１００が停止するおそれがある。受電装置１００が監視カメラの場合、受電装置１００が停止すると、リセットおよび再起動されるまで、監視カメラによる監視ができなくなる。本実施形態では、受電装置１００が停止することはないので、監視カメラの監視は継続して行われ、クライアント装置３００でのモニタリングも継続して行うことができる。このように、本実施形態によれば、複数の電源（第１の電源１０１と第２の電源１０２）から受電可能な受電装置１００において、電源の切り換えに伴う動作の安定性を向上することができる。
【００４２】
本実施形態では、汎用電源１０１とＰＳＥ電源１０２が受電装置１００に接続された場合、汎用電源１０１とＰＳＥ電源１０２のそれぞれが受電装置１００に電力供給をする。つまり、ＰＳＥ電源１０２だけで電力供給をせずに、電源効率の良い汎用電源１０１を併用するので、２つの電源１０１、１０２を使用する場合の電源効率を向上することができる。電源効率が向上すると、受電装置１００の発熱が抑えられ、受電装置１００の小型化に寄与できる。
【００４３】
（変形例）
以上、本発明の好ましい実施形態について説明したが、本発明はこれらの実施形態に限定されず、その要旨の範囲内で種々の変形及び変更が可能である。
上記した実施形態では、受電装置１００の例として監視カメラを挙げたが、受電装置１００は監視カメラ以外の装置であってもよい。例えば、受電装置１００は、通信装置等であってもよい。
ＰＳＥ電源１０２の出力電圧（４８Ｖ）や第１〜第４の電圧変換部の出力電圧（１５Ｖ、１０Ｖ、５Ｖ、１Ｖ）も例示であり、明記された電圧値以外の電圧でもよい。これらの電圧値は、受電装置１００の構成要素等に応じて、適宜変更してよい。
【符号の説明】
【００４４】
１００…受電装置、１０１…汎用電源、１０２…ＰＳＥ電源、１０３…第１の電圧変換部、１０４…第２の電圧変換部、１０５…第３の電圧変換部、１０６…第４の電圧変換部、１０７…第１の負荷部、１０８…第２の負荷部
【図１】
2020043644.tif 000003
【図２】
2020043644.tif 000004
【図３】
2020043644.tif 000005
【図４】
2020043644.tif 000006
【図５】
2020043644.tif 000007
【図６】
2020043644.tif 000008
【図７】
2020043644.tif 000009
【図８】
2020043644.tif 000010